(57)【要約】【課題】冷凍装置に容易に載置可能であって腐食を抑制できる海上コンテナ用の電源トランスを提供する。【解決手段】海上コンテナ用の冷凍装置には重量物たる電源トランス１０が載置されている。電源トランス１０は、本体１と、スペーサ取付部材２と、スペーサ３１，３２とを備えている。スペーサ取付部材２の底面は本体１とはみ出した部分でスペーサ３を取り付ける平面部分２１，２２を有している。スペーサ３１，３２は平面部分２１に取り付けられ、本体１を支持する。よって、地面と本体１（スペーサ取付部材２）との間に間隙を生じるので、当該間隙に搬送載置装置の爪を挿入しやすく、電源トランス１０を海上コンテナ用冷凍装置に載置しやすい。また、スペーサ３１，３２によって電源トランス１０の載置位置が高くなるため、海水と接する面積を低減でき、以て海水による腐食を低減できる。【選択図】図２
2008164224.tif 000002
【特許請求の範囲】
【請求項１】
海上コンテナ冷凍装置（１００）内の所定面（６０）上に搭載される海上コンテナ用の電源トランス（１０）であって、
前記電源トランスの本体（１）と、
前記所定面と前記本体の底面との間で前記本体を支持し、前記本体の底部へと前記本体の重心（Ｇ１）を投影した点（Ｇ２）を挟んで互いに離間する２つの位置に固定されるスペーサ（３１，３２；３４，３５；３６，３７）とを
備える、海上コンテナ用の電源トランス。
【請求項２】
前記底面へと前記電源トランスの重心を投影した前記点にも前記スペーサ（３０；３３；３８）が固定されている、請求項１に記載の海上コンテナ用の電源トランス。
【請求項３】
前記スペーサの底面に貼り付けられた、前記スペーサよりも摩擦係数の小さいフィルム
をさらに備える、請求項１又は２に記載の海上コンテナ用の電源トランス。
【発明の詳細な説明】
【技術分野】
【０００１】
本発明は、海上コンテナ用の電源トランスに関し、特に腐食を低減する技術に関する。
【背景技術】
【０００２】
ユーザの要望に応じて電源電圧を選択できるように、海上コンテナ冷凍装置には電源トランスが載置される場合がある。海上コンテナ冷凍装置は、一般的に高い電圧の電源が用いられるため、電源トランスも電源電圧に合わせて容量の大きいものが選定される。このような電源トランスは重量が重いため海上コンテナ冷凍装置の下方に載置される。
【０００３】
なお、本発明に関する技術として特許文献１，２が開示されている。
【０００４】
【特許文献１】特開平６−１８８９０号公報
【特許文献２】特開平８−１０５６８１号公報
【発明の開示】
【発明が解決しようとする課題】
【０００５】
重量物たる電源トランスは冷凍装置に載置しにくく、また海上コンテナは下方ほど海水に接する可能性があるため電源トランスは海水による腐食の危険性が高かった。
【０００６】
そこで、本発明の目的は、容易に載置可能であって、腐食を抑制できる海上コンテナ用の電源トランスを提供することを目的とする。
【課題を解決するための手段】
【０００７】
本発明に係る海上コンテナ用の電源トランスの第１の態様は、海上コンテナ冷凍装置（１００）内の所定面（６０）上に搭載される海上コンテナ用の電源トランス（１０）であって、前記電源トランスの本体（１）と、前記所定面と前記本体の底面との間で前記本体を支持し、前記本体の底部へと前記本体の重心（Ｇ１）を投影した点（Ｇ２）を挟んで互いに離間する２つの位置に固定されるスペーサ（３１，３２；３４，３５；３６，３７）とを備える。
【０００８】
本発明に係る海上コンテナ用の電源トランスの第２の態様は、第１の態様に係る海上コンテナ用の電源トランスであって、前記底面へと前記電源トランスの重心を投影した前記点にも前記スペーサ（３０；３３；３８）が固定されている。
【０００９】
本発明に係る海上コンテナ用の電源トランスの第３の態様は、第１又は第２の態様に係る海上コンテナ用の電源トランスであって、前記スペーサの底面に貼り付けられた、前記スペーサよりも摩擦係数の小さいフィルムをさらに備える。
【発明の効果】
【００１０】
本発明に係る海上コンテナ用の電源トランスの第１の態様によれば、電源トランスを載置するときに、スペーサによって生じる地面と電源トランスとの間隙に搬送装置の爪を挿入しやすく、海上コンテナ冷凍装置に載置しやすい。また、スペーサによって電源トランスの載置位置が高くなるので、海水に接する部分の面積を低減でき、電源トランスの腐食を抑制できる。
【００１１】
本発明に係る海上コンテナ用の電源トランスの第２の態様によれば、２つの位置に固定されたスペーサのみに比べて、載置後の電源トランスの振動を低減することができる。
【００１２】
本発明に係る海上コンテナ用の電源トランスの第３の態様によれば、電源トランスを海上コンテナ冷凍装置に仮置きした後の、載置位置の微調整を容易に行うことができる。
【発明を実施するための最良の形態】
【００１３】
本発明に係る実施の形態の海上コンテナ用の電源トランスについて説明する。図１は電源トランスが載置された海上コンテナ用冷凍装置（以下、冷凍装置と呼ぶ）の概略構成図である。
【００１４】
本冷凍装置１００は、ケーシング１０１と、当該ケーシング１０１に収納された冷凍機能を具現化する機構（電源トランス１０と、電源ケーブル収納部１１と、電源ケーブル５２と、漏電ブレーカ１３と、圧縮機２０と、ターミナル２０１と、吐出管２０２と、吸入管２０３と、比例弁３０と、ファン４０と、コントロール部５０）とを備えている。そして、冷凍装置１００は図示しない海上コンテナの側面に設置されてコンテナ庫内を冷却する。
【００１５】
海上コンテナのコンテナ庫内を冷却するための電源電圧は一般的に高電圧（例えば４００Ｖ）であるので、電源トランス１０はその容量が、例えば１５ｋＶＡと大きく、その重量も例えば７０ｋｇと重い。従って、重量物たる電源トランス１０は冷凍装置１００の下方に載置される。具体的にはケーシング１０１の下部に設けられた所定面６０に載置されている。そして、電源トランス１０は、電源電圧を変換したうえで、電源ケーブル５２を介して例えば圧縮機２０に電源を供給する。
【００１６】
なお、冷凍装置１００の冷凍機能を具現化するその他の機構については、本発明の本質とは異なるため説明を割愛する。
【００１７】
図２は電源トランス１０の斜視図である。図２に示すように電源トランス１０は、本体１と、スペーサ取付部材２と、スペーサ３１，３２と、入力用の電源ケーブル５１と，出力用の電源ケーブル５２と、電源ケーブル取付部材４１，４２とを備えている。
【００１８】
本体１は、例えば直方体の形状を有しており、内部には電源トランスの機能を具現化するトランス機構（例えばコイル等、図示せず）が収納されている。そして、出力用の電源ケーブル５１と入力用の電源ケーブル５２とが、本体１の一側面に設けられた電源ケーブル取付部材４１，４２をそれぞれ介して当該トランス機構と接続されている。電源ケーブル取付部材４１，４２は、本体１と電源ケーブル５１，５２とをそれぞれ隙間なく固定しており、本体１の内部に海水が侵入するのを防ぐ。
【００１９】
そして、例えば電圧２００Ｖの交流が入力用の電源ケーブル５２を介して本体１に入力され、本体１内のトランス機構において電圧変換されて、例えば電圧２００Ｖの交流が出力用の電源ケーブル５１を介して出力される。
【００２０】
スペーサ取付部材２は本体１の底面及び両側面（電源ケーブル５１，５２が取り付けられてない面）を覆う形状を有している。そして、当該両側面で本体１とねじ固定される。また、スペーサ取付部材２の底面は本体１の底面よりも広く、本体１をはみ出した平面部分２１，２２を有している。図２に示す例では、平面部分２１は、本体１のうち電源ケーブル５１，５２が取り付けられた面と垂直な方向に延在している。なお、スペーサ取付部材２の底面は、本体１から見て平面部分２１の反対側にも平面部分２２を有している。つまり、平面部分２１，２２が本体１の両側にそれぞれ設けられている。この平面部分２１，２２上にはそれぞれスペーサ３１，３２を取り付けるためのねじ穴が設けられている。
【００２１】
スペーサ３１，３２は、例えば板状の直方体形状を有しており、スペーサ取付部材２の底面の両端（平面部分２１，２２）にそれぞれ取り付けられている。より具体的には、平面部分２１，２２上に設けられたねじ穴を介して、ねじ６によりスペーサ３１，３２がそれぞれ固定されている。言い換えると、スペーサ３１，３２は、スペーサ取付部材２を介して、本体１の底面へと本体１の重心Ｇ１を投影した点Ｇ２を挟んで離間した位置にそれぞれ固定されている。そして、所定面６０と本体１との間で本体１を支持する（図１も参照）。
【００２２】
次に、図３を参照して、電源トランス１０を冷凍装置１００に載置する方法について説明する。搬送載置装置２００は、電源トランス１０を搬送して冷凍装置１００に載置する装置である。具体的に、搬送載置装置２００は断面コ字状の形状の爪を有している、即ち例えば長方形状の下面部と、当該下面部の一辺から垂直に延在する長方形状の側面部と、当該側面部の上辺から水平方向に延在する上面部とから成る形状を有している。
【００２３】
そして、当該爪の下面部を、スペーサ３１，３２によって生じたスペーサ取付部材２と地面との間隙に挿入する。そして、電源トランス１０を持ち上げて搬送し、ケーシング１０１の所定面６０に当該電源トランス１０を載せる。その状態で搬送載置装置２００の爪を当該間隙から取り外すことで、電源トランス１０を冷凍装置１００に載置することができる。
【００２４】
以上のように、本電源トランス１０であれば、搬送載置装置２００の爪を当該間隙に挿入しやすく、冷凍装置１００に載置しやすい。
【００２５】
また、図１に示したように、重量物である電源トランス１０は、一般的に冷凍装置１００の下部に載置される。そして、海上コンテナにおいてはコンテナが海上輸送されるため冷凍装置１００の下方ほど海水に接触することが多い。本実施の形態に係る電源トランス１０によれば、電源トランスの機能が収納された本体１の載置位置をスペーサ３１，３２により高くすることができる。よって、本体１のうち海水に接する面積を低減でき、本体１の腐食を抑制することができる。なお、スペーサ３は海水に接する可能性が高いため、耐食性の高い材質、例えばアルミやステンレス等で構成することが好ましい。
【００２６】
また、電源トランス１０を所定面６０に載置した後は、電源トランス１０を冷凍装置１００に固定する必要がある。例えば所定面６０に設けられたねじ穴（図示せず）と、平面部分２１及びスペーサ３１，３２に設けられたねじ穴（図示せず）とを介して、電源トランス１０と冷凍装置１００とをねじ止めすることで、電源トランス１０を冷凍装置１００に固定することができる。
【００２７】
このような固定方法では、電源トランス１０を所定面６０に載置した後に、所定面６０に設けられたねじ穴とねじ穴とを一致させるべく、作業員は人力で電源トランス１０の載置位置を微調整する必要がある。
【００２８】
このとき、電源トランス１０と所定面６０の接触面積はスペーサ３１，３２の底面積に等しく、スペーサ３１，３２がない場合と比べて、電源トランス１０と所定面６０の摩擦力を低減することができる。よって、作業員は容易に電源トランス１０の載置位置を微調整することができる。
【００２９】
さらに、スペーサ３１，３２の底面（所定面６０と接する面）に、スペーサ３１，３２よりも摩擦係数の小さいフィルムを貼り付けてもよい。フィルムは例えポリエチレンテレフタレート（ＰＥＴ）フィルム等が考えられる。このとき、電源トランス１０は摩擦係数の小さいフィルムを介して所定面６０と接触しているので、さらに容易に電源トランス１０の載置位置を微調整することができる。
【００３０】
なお、本実施の形態においては、スペーサ３１，３２はスペーサ取付部材２の底面の両端に別個に取り付けられていたがこれに限らない。例えば、図５（ａ）〜（ｃ）に示す形状を有していても良い。図５（ａ）〜（ｃ）はスペーサ取付部材２の底面に取り付けられたスペーサ３の平面図である。
【００３１】
ここで、図４（ａ）〜（ｃ）に示すスペーサは本体１の重心を底面に投影した点Ｇ２にも固定されている。従って、これらの場合であれば、スペーサ３１，３２による両端支持の場合と比べて、電源トランス１０の振動を軽減することができる。
【００３２】
例えば図４（ａ）に示すように、スペーサ取付部材２の両端（平面部分２１，２２）にスペーサ３１，３２を固定して、さらにスペーサ３１，３２に挟まれるように板状のスペーサ３３をスペーサ取付部材２の中央に固定してもよい。この場合、搬送載置装置２００の爪の下面部を二股形状にして、スペーサ３１，３３との間の間隙及びスペーサ３２，３３の間の間隙に当該爪を挿入することで、容易に電源トランス１０をケーシング１０１の所定面６０に載置することができる。
【００３３】
例えば図４（ｂ）に示すように、Ｈ字状の形状を有するスペーサ３をスペーサ取付部材２の底面に取り付けても良い。この場合であっても、スペーサ取付部材２の両端（平面部分２１，２２）においてねじ固定によりスペーサ３とスペーサ取付部材２を固定することができる。そして、本体１の両側から搬送載置装置の爪をスペーサ３によって生じる間隙に挿入することで、容易に電源トランス１０をケーシング１０１の所定面６０に載置することができる。スペーサ３は、上述のスペーサ３１，３２の間を、点Ｇ２を含む位置に固定されたスペーサ３０で繋いだものと把握できる。
【００３４】
例えば、図４（ｃ）に示すように、スペーサ取付部材２の底面の対角線を経由する形状を有するスペーサ３を当該底面に取り付けても良い。この場合であっても、スペーサ取付部材２の両端（平面部分２１，２２）においてねじ固定によりスペーサ３とスペーサ取付部材２を固定することができる。そして、本体１の側面の４方向から搬送載置装置の爪をスペーサ３によって生じる間隙に挿入することで、容易に電源トランス１０をケーシング１０１の所定面６０に載置することができる。スペーサ３は、点Ｇ２を挟んで互いに離間する二つの位置に固定されるスペーサ３４，３５と、点Ｇ２を挟んで互いに離間する二つの位置に固定されるスペーサ３６，３７と、点Ｇ２を含む位置に固定されるスペーサ３８とを繋いだものとして把握することができる。
【００３５】
なお、スペーサは、図４（ａ）〜（ｃ）に示す形状に限らず、スペーサが点Ｇ２を挟んで離間した位置及び点Ｇ２で本体１（スペーサ取付部材２）に固定されており、且つ搬送載置装置の爪を地面と略平行に挿入して電源トランス１０を持ち上げることが可能な程度に、本体１（スペーサ取付部材２）と地面との間隙を生じる形状であればよい。
【図面の簡単な説明】
【００３６】
【図１】実施の形態に係る冷凍装置の概略構成図である。
【図２】実施の形態に係る電源トランスの斜視図である。
【図３】搬送載置装置と電源トランスとを示す斜視図である。
【図４】スペーサを示す平面図である。
【符号の説明】
【００３７】
１  本体
２  スペーサ取付部材
３，３０〜３８  スペーサ
２１，２２  平面部分
６０  所定面
１００  海上コンテナ用冷凍装置
【図１】
2008164224.tif 000003
【図２】
2008164224.tif 000004
【図３】
2008164224.tif 000005
【図４】
2008164224.tif 000006